(57)【要約】【課題】設置や移動を容易に行うことができ、小さなスペースで設置できると共に、製造・運搬・維持にかかるコストを抑えることができる、簡易トイレを提供する。【解決手段】簡易トイレ１を、上下に延びている長方形状の中板部１１、中板部１１の一対の長辺から同一方向に延出し、先端に向かうほど離隔している一対の側板部１２を有し、中板部１１及び一対の側板部１２が互いを自立可能に支持しており、上方に開放していると共に一対の側板部１２が延び出している方向に開放している衝立部１０と、中板部１１において、一対の側板部１２が延出している側の面に、下方に空間を設けて取り付けられている小便器２０と、小便器２０の底面２２を貫通している貫通孔部に連結されており、小便器２０の下方の空間に設置されるタンク６０に挿入される連結管５０と、を具備する構成とする。【選択図】図１
2015228993.tif 000002
【特許請求の範囲】
【請求項１】
上下に延びている長方形状の中板部、該中板部の一対の長辺から同一方向に延出し、先端に向かうほど離隔している一対の側板部を有し、前記中板部及び一対の前記側板部が互いを自立可能に支持しており、上方に開放していると共に一対の前記側板部が延び出している方向に開放している衝立部と、
前記中板部において、一対の前記側板部が延出している側の面に、下方に空間を設けて取り付けられている小便器と、
該小便器の底面を貫通している貫通孔部に連結されており、前記小便器の下方の空間に設置されるタンクに挿入される連結管と、
を具備することを特徴とする簡易トイレ。
【請求項２】
一対の前記側板部は、それぞれ上辺より下辺が長い
ことを特徴とする請求項１に記載の簡易トイレ。
【請求項３】
前記小便器の下方、且つ、前記中板部から離れた位置で、一対の前記側板部の一方に一端がヒンジによって回動可能に取り付けられており、他端が一対の前記側板部の他方にロック機構によって解除可能に固定されている扉部材を、更に具備する
ことを特徴とする請求項１または請求項２に記載の簡易トイレ。
【発明の詳細な説明】
【技術分野】
【０００１】
本発明は、小便用の簡易トイレに関するものである。
【背景技術】
【０００２】
トイレが無い建築現場、野外のイベント会場、公園、キャンプ場、災害時の避難所等では、仮設の簡易トイレが用いられることがある。
【０００３】
このような簡易トイレ１００は図５に示すように、汚物を溜める便槽１１０と、便槽１１０の上に設けられた便器１１１と、周囲を囲む側壁１１２と、側壁１１２の上部に設けられた屋根１１３とを有するものが公知である（特許文献１及び特許文献２参照）。
【０００４】
しかしながら、上記の簡易トイレ１００は、便槽の上に人が立つ床部１２０を有する等、非常に頑丈な構成である。また、容量の大きな便槽１１０に加え、人が便槽１１０の上の床部１２０に立っても頭が屋根に当たらない十分な高さの側壁１１２を有するため、非常に大きく、重いものである。このため、簡易トイレ１００を設置する作業や移動させる作業に、複数の作業者や小型クレーン等が必要であった。また、大型で頑丈な簡易トイレ１００は、製造のためのコストが高いことに加え、運搬のために高さのある荷物を搭載できるトラックなどの大型車両が必要であり、運搬のコストも高いものであった。更に、大型の便槽１１０からの汚物の汲み取りを業者に依頼するため、維持費用も高いものであった。加えて、戸建住宅の建築現場等では、限られた敷地に建築資材を置く必要があるなど、簡易トイレ１００を設置するための十分なスペースが確保できない場合があった。
【先行技術文献】
【特許文献】
【０００５】
【特許文献１】特開平８−８４６８７号公報
【特許文献２】特開２０１２−２３９８３５号公報
【発明の概要】
【発明が解決しようとする課題】
【０００６】
そこで、本発明は、上記の実情に鑑み、設置や移動を容易に行うことができ、小さなスペースで設置できると共に、製造・運搬・維持にかかるコストを抑えることができる簡易トイレの提供を、課題とするものである。
【課題を解決するための手段】
【０００７】
上記の課題を解決するため、本発明にかかる簡易トイレは、「上下に延びている長方形状の中板部、該中板部の一対の長辺から同一方向に延出し、先端に向かうほど離隔している一対の側板部を有し、前記中板部及び一対の前記側板部が互いを自立可能に支持しており、上方に開放していると共に一対の前記側板部が延び出している方向に開放している衝立部と、前記中板部において、一対の前記側板部が延出している側の面に、下方に空間を設けて取り付けられている小便器と、該小便器の底面を貫通している貫通孔部に連結されており、前記小便器の下方の空間に設置されるタンクに挿入される連結管と、を具備する」ものである。
【０００８】
本発明の簡易トイレは、自立可能な衝立部に小便器が固定されている構成である。そして、本構成の簡易トイレを設置場所に設置し、汚物を溜めるためのタンクを小便器の下方の空間に設置すると共に、小便器の貫通孔部に連結されている連結管をタンクに挿入することにより使用することができる。使用者は、衝立部において一対の側板部が延び出している方向（以下、前方と称する）で、衝立部の内部に踏み込んだ状態でタンクの前方に立ち、小便器を使用する。この際、使用者の身体は背中側を除いて衝立部でほぼ囲われた状態となるため、周囲から視認されずに用を足すことができる。
【０００９】
このように、衝立部は、前方に開放している構成であり、中板部も使用者の腹部よりも高い高さであれば足りるため、便器の全周囲及び天井を壁面で覆う従来の簡易トイレよりも小さなサイズとすることができる。また、使用者はタンクの前方に立つため、便槽の上に設けられた床部に使用者が立つ従来の簡易トイレに比べ、高さを低く抑えることができる。加えて、使用者が立つ床部が不要であるため、衝立部は自立でき小便器を支持できる程度の強度で足り、大きな強度は要求されない。このため、コストを抑えて簡易に製造することができる。また、サイズを小さくできるため、運搬の際にトラックなどの大型の車両を必要としない。更に、小さなスペースで設置することができ、移動も容易である。
【００１０】
加えて、タンクは衝立部とは別体であり、小便器の下方に置いて使用するものであるため、タンクを外して運び、汚物をトイレに廃棄することができる。従って、汚物を業者に汲み取らせる費用を必要としない。なお、タンクとしては、安価に入手できる市販のポリタンクを使用することができる。
【００１１】
本発明にかかる簡易トイレは、上記構成に加え、「一対の前記側板部は、それぞれ上辺より下辺が長い」ものとすることができる。
【００１２】
本構成の簡易トイレは、衝立部の一対の側板部の下辺が上辺よりも長く設定されている。これにより、衝立部は、接地する面積が大きくなると共に、重心が低くなるため、より安定的に自立することができる。
【００１３】
本発明にかかる簡易トイレは、上記構成に加え、「前記小便器の下方、且つ、前記中板部から離れた位置で、一対の前記側板部の一方に一端がヒンジによって回動可能に取り付けられており、他端が一対の前記側板部の他方にロック機構によって解除可能に固定されている扉部材を、更に具備する」ものとすることができる。
【００１４】
「ロック機構」としては、扉部材と側板部のうち一方に長棒状部材がスライド可能に取付けられていると共に、他方に環状部または孔部が備えられており、長棒状部材をスライドさせて環状部に挿通し、または孔部に挿入して留め付ける構成（所謂スライド式ラッチ）、一方に長片部材の一端が回動可能に取り付けられていると共に、他方に長片部材を上方から挿入させて係止する係止片が取り付けられており、長片部材を回動させて係止片に係止させることにより留め付ける構成（所謂、打ち掛け錠）、を例示することができる。
【００１５】
本構成の簡易トイレでは、ロック機構を解除した状態で扉部材を前方に回動させ、小便器の下方の空間を開放させてタンクを設置する。そして、タンクを設置した後に扉部材を後方に回動させ、ロック機構により扉部材を一対の側板部の一方に固定する。これにより、タンクの前方において、扉部材が一対の側板部間に架け渡された状態となる。このため、地面が不陸の状態である建築現場等に本構成の簡易トイレを設置する場合であっても、タンクの前方への転倒を防止することができる。
【発明の効果】
【００１６】
以上のように、本発明の効果として、設置や移動を容易に行うことができ、小さなスペースで設置できると共に、製造・運搬・維持にかかるコストを抑えることができる、簡易トイレを、提供することができる。
【図面の簡単な説明】
【００１７】
【図１】本発明の一実施形態である簡易トイレの斜視図である。
【図２】図１の簡易トイレの正面図である。
【図３】図１の簡易トイレの（ａ）平面図、（ｂ）底面図、及び、（ｃ）右側面図である。
【図４】図１の簡易トイレのＡ−Ａ線断面図である。
【図５】従来の簡易トイレの斜視図である。
【発明を実施するための形態】
【００１８】
以下、本発明の一実施形態である簡易トイレ１について図１乃至図４を用いて説明する。
【００１９】
本実施形態の簡易トイレ１は、上下に延びている長方形状の中板部１１、中板部１１の一対の長辺から同一方向に延出し、先端に向かうほど離隔している一対の側板部１２を有し、中板部１１及び一対の側板部１２が互いを自立可能に支持しており、上方に開放していると共に一対の側板部１２が延び出している方向に開放している衝立部１０と、中板部１１において、一対の側板部１２が延出している側の面に、下方に空間を設けて取り付けられている小便器２０と、小便器２０の底面２２を貫通している貫通孔部２１に連結されており、小便器２０の下方の空間に設置されるタンク６０に挿入される連結管５０と、を具備している。
【００２０】
また、一対の側板部１２は、それぞれ上辺より下辺が長く設定されている。更に、小便器２０の下方、且つ、中板部１１から離れた位置で、一対の側板部１２の一方に一端がヒンジ４１によって回動可能に取り付けられており、他端が一対の側板部１２の他方にロック機構４２によって解除可能に固定されている扉部材４０を、具備している。
【００２１】
より詳細に説明すると、衝立部１０の中板部１１及び一対の側板部１２は、角材で組み立てられた枠体に板材を打ち付けて、すのこ状に形成された木製のものである。このような構成により、重量を抑えて自立可能な強度を持たせることができる。また、一対の側板部１２は、前方に向かって互いに離れるように中板部１１から延出していると共に、それぞれ上辺より下辺が長いことにより、衝立部１０は安定的に自立する。
【００２２】
ここで、衝立部１０は使用者の身体全体を収容するものではなく、衝立部１０の高さは１０００ｍｍ〜１２００ｍｍ、中板部１１の幅は、４００ｍｍ〜６００ｍｍに設定することができる。また、一対の側板部１２の上辺の長さは３００ｍｍ〜４００ｍｍ、下辺の長さは４００〜５００ｍｍに設定することができる。加えて、前方の端部における一対の側板部１２間の間隔は、６００ｍｍ〜８００ｍｍに設定することができる。
【００２３】
小便器２０は樹脂製であり、五角形で前方に開口した椀状の形状を有している。本実施形態では、ガラス繊維強化プラスチックを使用し、硬化剤を混合した樹脂を脱泡しながら多重積層してゆくスプレーアップ法によって成形している。小便器２０は、図２に示すように、五角形の一つの頂角を上方に向け、開口縁の下辺が水平となるように、中板部１１の上半部において枠体に固定されている。これにより、小便器２０の下方に、タンク６０を設置する空間が形成される。また、小便器２０は、図４に示すように、開口縁の下辺が前方に位置するように傾けて固定されている。なお、小便器２０の高さ及び幅は３００ｍｍ〜５００ｍｍに設定することができる。また、奥行き（中板部１１から小便器２０の開口縁の下辺までの長さ）は、２００ｍｍ〜３００ｍｍに設定することができる。
【００２４】
小便器２０の底面２２を貫通している貫通孔部２１は、正面から見て左右どちらか一方の端に設けられている。ここでは、小便器２０の右側に貫通孔部２１が設けられている場合を、図示により例示している。また、底面２２は貫通孔部２１に向かって低くなるように傾斜している。更に、図４に示すように、底面２２において貫通孔部２１は後方の壁面２３付近に設けられており、底面２２は開口縁から貫通孔部２１に向かって低くなるように傾斜している。
【００２５】
衝立部１０は、小便器２０の下方で近接して、一対の側板部１２間に横架された平板によって形成された仕切板部３５を有している。この仕切板部３５には、小便器２０の貫通孔部２１の略直下の位置に樹脂製の連結管５０が固定されており、その上端は小便器２０の貫通孔部２１と接続されている。連結管５０の下端はタンク６０の孔部６１に挿入されるが、図４に示すように、下端側は前方に向かって湾曲している。なお、仕切板部３５は、小便器２０の開口縁の下辺が仕切板部３５の前方の端部より、若干（例えば、１５ｍｍ〜２０ｍｍ）前方に位置するように設けられている。
【００２６】
衝立部１０の下部には、衝立部１０の底面よりも僅かに高い位置（例えば、１０ｍｍ〜２０ｍｍ）で、一対の側板部１２間に横架された平板によってタンク載置部３０が形成されている。タンク載置部３０と仕切板部３５との間の空間の高さは、４００ｍｍ〜５００ｍｍに設定することができる。
【００２７】
衝立部１０には、仕切板部３５とタンク載置部３０との間で、細長い平板状の扉部材４０が取り付けられている。扉部材４０の一端は、ヒンジ４１によって回動可能に一方の側板部１２に取付けられている。一方、扉部材４０の他端には、長棒状部材４３がスライド可能に取り付けられており、側板部１２に設けられた環状部４４に長棒状部材４３を挿通させることにより、扉部材４０が側板部１２に固定されている。長棒状部材４３及び環状部４４が、本発明のロック機構４２に相当する。ここで、扉部材４０は、仕切板部３５の前方の端部が扉部材４０の前面より、若干（例えば、５ｍｍ〜１０ｍｍ）前方に位置するように設けられている。
【００２８】
上記構成の簡易トイレ１は、使用者の身体全体を収容するものではないため、サイズを小さく設定することができる。このため、運搬に際してトラックなどの大型車両を必要とせず運搬のコストを抑えることができ、小さなスペースで設置することができる。また、簡易トイレ１の衝立部１０は木製であり小便器２０は樹脂製であるため全体として軽量であり人力で容易に移動して設置することができる。加えて、衝立部１０は自立でき小便器２０を支持できる程度の強度で足りるため、コストを抑えて簡易に製造することができる。
【００２９】
更に、簡易トイレ１は衝立部１０が自立可能であるため、非常に容易に設置することができる。ここで、簡易トイレ１を設置した際、タンク載置部３０は衝立部１０の底面よりも僅かに高い位置に形成されていることにより、タンク載置部３０と地面との間に隙間が生じる。このため、設置場所が僅かに不陸の状態であっても簡易トイレ１を設置することができる。
【００３０】
簡易トイレ１を使用する際は、仕切板部３５に固定されている連結管５０の下端をタンク６０の孔部６１に挿入しつつタンク６０をタンク載置部３０に載置する。ここでは、タンク６０として、容量１８Ｌで取手６２付きの汎用のポリタンクを使用する場合を例示する。タンク６０を載置する際、連結管５０の下端が前方に湾曲していることにより、タンク６０を前方から挿し入れながら、容易に連結管５０の下端をタンク６０の孔部６１に挿入することができる。また、連結管５０は、小便器２０の底面２２において、正面から見て右側の端部に固定されていることにより、上面の左右いずれか一方の端部に孔部６１が設けられている一般的なポリタンクであるタンク６０に、連結管５０の下端を容易に挿入することができる。
【００３１】
タンク載置部３０に載置したタンク６０の前方では、長棒状部材４３をスライドさせて環状部４４に挿通させることにより、扉部材４０を側板部１２に固定することができる。これにより、タンク６０の前方への転倒を防止することができる。なお、後方及び側方への転倒は衝立部１０により防止されている。
【００３２】
使用者は、タンク６０の前方に立ち小便器２０を使用する。この際、衝立部１０は使用者の腹部より下方を覆うのに十分な高さと幅を有しているため、使用者は周囲から視認されずに小便器２０を使用することができる。小便器２０の底面２２は貫通孔部２１に向かって低くなるように傾斜していることにより、尿は重力に従って貫通孔部２１に流入し、連結管５０を流通して下方に流れてタンク６０に溜められる。また、小便器２０の開口縁の下辺は、仕切板部３５及び扉部材４０よりも前方に位置するため、万一尿が小便器２０の下方に垂れても仕切板部３５及び扉部材４０を汚さない。更に、小便器２０では、底面２２は左右いずれかの貫通孔部２１に向かって傾斜しているのに対し、開口縁の下辺は水平に設置できる形状に成形されているため、小便器２０の開口縁の下辺と仕切板部３５とを平行にすることができ、整った外観とすることができる。加えて、タンク６０の上方には仕切板部３５が、前方には扉部材４０が配置されていることにより、タンク６０の前方に立つ使用者、及び外部から汚物が溜められるタンク６０を視認し難いものとなっている。
【００３３】
タンク６０に溜めた汚物は簡易トイレ１からタンク６０を取り外し取手６２を把持して持ち運び、トイレに廃棄することができる。このため、汚物の汲み取りを業者に依頼する必要があった従来の簡易トイレ１００とは異なり、維持するコストを安価なものとすることができる。なお、本発明の簡易トイレ１を野外に設置する場合、衝立部１０の上方が開放している構成であるため、雨天時はタンク６０の孔部６１を連結管５０から外し、蓋をしておくと良い。
【００３４】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３５】
例えば、上記の実施形態では木製の枠体に板材をすのこ状に張った衝立部を例示したが、枠体に合板や樹脂製の平板を張った構成とすることができる。また、枠体を、樹脂製や金属製とすることもできる。
【符号の説明】
【００３６】
１  簡易トイレ
１０  衝立部
１１  中板部
１２  側板部
２０  小便器
２１  貫通孔部
２２  底面（小便器）
４０  扉部材
４１  ヒンジ
４２  ロック機構
５０  連結管
６０  タンク
【図１】
2015228993.tif 000003
【図２】
2015228993.tif 000004
【図３】
2015228993.tif 000005
【図４】
2015228993.tif 000006
【図５】
2015228993.tif 000007